(57)【要約】      （修正有）【課題】ネイルケアするために用いられる化学物質及びネイル表面に衝撃を加える時に発生する異質物とホコリが空気中に飛散するのを防止し、作業視野を確保して快適な作業環境を提供できるようにした照明を備えたネイルケア用集塵装置を提供する。【解決手段】ネイルを照射するための照明部１１０が一端に備えられ、前記ネイルに向かって長さ、方向及び角度調節が可能なベローズ管状の吸入管ユニット１００、及び、吸入管ユニット１００の他端に連結され、前記ネイルケアして発生する有害空気を吸入するための動力を提供し、吸入された前記有害空気をフィルタして浄化された浄化空気を排出する本体ユニット２００を含む。【選択図】図２
0003213017.tif 000002
【実用新案登録請求の範囲】
【請求項１】
ネイルを照射するための照明部が一端に備えられ、前記ネイルに向かって長さ、方向及び角度調節が可能なベローズ管状の吸入管ユニット、及び、
前記吸入管ユニットの他端に連結され、前記ネイルケアして発生する有害空気を吸入するための動力を提供し、吸入された前記有害空気をフィルタして浄化された浄化空気を排出する本体ユニットを含む、照明を備えたネイルケア用集塵装置。
【請求項２】
前記本体ユニットは、
前記照明部の点灯と前記有害空気の吸入を各々制御する制御部、
前記吸入管ユニットの他端に上部が連結され、前記有害空気を収容するための空間を有する有害空気収容部、
前記有害空気収容部の下部に備えられ、前記有害空気に含まれた粉塵をフィルタするためのフィルタ部、
前記フィルタ部の下部に結合され、前記有害空気収容部から前記フィルタ部方向に前記有害空気を移動させるための吸入力を提供する吸入管ユニット、及び、
前記粉塵がフィルタされた前記浄化空気を排出するための排出口を有する排出部、を含む、請求項１に記載の照明を備えたネイルケア用集塵装置。
【請求項３】
前記制御部は、
前記照明部のオン／オフ、照射光の種類及び照射時間を制御するための照明制御部、および、
前記吸入管ユニットのオン／オフ、吸入強度及び吸入時間を制御するための吸入制御部を、含む、請求項２に記載の照明を備えたネイルケア用集塵装置。
【請求項４】
前記吸入管ユニットは、
ラジアルファン、軸流ファン、遠心ファン、シロッコファンのうち一つからなる吸入ファン、および、
前記吸入制御部から作動信号の入力を受けて前記吸入ファンを駆動する駆動モータ、を含む、請求項３に記載の照明を備えたネイルケア用集塵装置。
【考案の詳細な説明】
【技術分野】
【０００１】
本考案は照明を備えたネイルケア用集塵装置に関し、より詳しくは、ネイルケアするために用いられる化学物質及びネイル表面に衝撃を加える時に発生する異質物とホコリが空気中に飛散するのを防止し、作業視野を確保して快適な作業環境を提供するための照明を備えたネイルケア用集塵装置に関する。
【背景技術】
【０００２】
ネイル表面に色をつけたり絵を描いたりする等のネイルアートを行うために用いられる材料としてはマニキュア、リムーバー、オイル、トップコート、ドライヤー等があり、このような材料の成分は主に刺激的な臭いを発するかまたは空気中に広がる時に環境汚染をもたらす毒性を含有した化学成分が多い。
【０００３】
このような材料を用いてネイルアート作業をする時に四方が開放された作業環境で行われるのが一般的であり、このため、必然的に作業者と使用者は有害な化学物質に露出される。よって、このような環境で長時間ネイルアート作業をする時には、作業環境内の空気が汚染され、作業者と使用者の呼吸器系の疾患を誘発するという問題がある。
【０００４】
そして、ネイル表面を滑らかにケアするために研削をするか、または周辺皮膚の角質除去のようなケアのための用途として、主に歯科や宝石細工分野で用いられていたハンドピースを用いている。しかし、従来のハンドピースには別途の粉塵吸入装置がないため、ハンドピースを用いてネイルの研磨、切断等の作業を行う時に発生するネイル粉塵が四方に飛散して服に付くかまたは周囲を汚し、呼吸器官にも吸入されて衛生上にも良くないという問題が発生する。
【０００５】
図１に示すように、市中にはネイルアート作業時に発生する粉塵の飛散を防止するためのネイル用集塵機が提案されている。
【０００６】
しかし、このような従来のネイル用集塵機は、本体１の上部と手の平が向き合うように構成され、本体１の上部でネイルケアする時、送風部材３の吸入力により粉塵が吸入口２に吸い込まれて底部４に集まるようにするため、爪が位置した作業空間の上部に飛散する粉塵は吸入できない限界がある。
【先行技術文献】
【特許文献】
【０００７】
【特許文献１】韓国公開特許第１０−２００９−００８７１６２号公報
【考案の概要】
【考案が解決しようとする課題】
【０００８】
従来の問題を解決するために、本考案は、ネイルケアをして発生する粉塵が空気中に広がるものを吸入することによって快適な作業環境を提供することができる、照明を備えたネイルケア用集塵装置を提供することにその目的がある。
【０００９】
また、本考案の他の目的は、集塵装置の端部にＵＶ照明、発光照明、発熱照明等を設けて広い作業視野の確保及び作業能率を向上させることができる、照明を備えたネイルケア用集塵装置を提供することにある。
【００１０】
本考案の解決課題は以上で言及したものに限定されず、言及していない他の解決課題は下記の記載によって当業者に明らかに理解できるものである。
【課題を解決するための手段】
【００１１】
前記本考案の目的及び他の特徴を達成するための本考案の一観点によれば、ネイルを照射するための照明部が一端に備えられ、前記ネイルに向かって長さ、方向及び角度調節が可能なベローズ管状の吸入管ユニット、及び、前記吸入管ユニットの他端に連結され、前記ネイルケアして発生する有害空気を吸入するための動力を提供し、吸入された前記有害空気をフィルタして浄化された浄化空気を排出する本体ユニットを含む照明を備えたネイルケア用集塵装置が提供される。
【００１２】
本考案において、前記本体ユニットは、前記照明部の点灯と前記有害空気の吸入を各々制御する制御部、前記吸入管ユニットの他端に上部が連結され、前記有害空気を収容するための空間を有する有害空気収容部、前記有害空気収容部の下部に備えられ、前記有害空気に含まれた粉塵をフィルタするためのフィルタ部、前記フィルタ部の下部に結合され、前記有害空気収容部から前記フィルタ部方向に前記有害空気を移動させるための吸入力を提供する吸入管ユニット、及び前記粉塵がフィルタされた前記浄化空気を排出するための排出口を有する排出部を含むことが好ましい。
【００１３】
本考案において、前記制御部は、前記照明部のオン／オフ、照射光の種類及び照射時間を制御するための照明制御部と、前記吸入管ユニットのオン／オフ、吸入強度及び吸入時間を制御するための吸入制御部とを含むことが好ましい。
【００１４】
本考案において、前記吸入管ユニットは、ラジアルファン、軸流ファン、遠心ファン、シロッコファンのうち一つからなる吸入ファンと、前記吸入制御部から作動信号の入力を受けて前記吸入ファンを駆動する駆動モータとを含むことが好ましい。
【考案の効果】
【００１５】
本考案に係る照明を備えたネイルケア用集塵装置は次のような効果を提供する。、本考案は、モータによって作動する吸入ファンによって微細粉塵及び臭いを吸入口とフィルタ部を通して本体ユニット内に吸入及び浄化した後、浄化されたきれいな空気を排出することによって、ネイルケアにより発生する微細粉塵によって周辺環境が汚染されるのを防止できるという効果がある。
【００１６】
また、本考案は、作業空間の上部空気を吸入する構造を通じて微細粉塵が呼吸器官等に吸入されるのを防止することができ、ネイルアートの材料から発生する有毒性の臭いも除去することができるため、常に清潔で快適な状態でネイルケアができるという効果がある。
【００１７】
なお、本考案は、吸入管ユニットの端部に形成された照明部によって作業しようとする作業空間を明るくして作業性を向上できるという効果がある。
【００１８】
本考案の効果は以上で言及したものに限定されず、言及していない他の効果は下記の記載によって当業者に明らかに理解できるものである。
【図面の簡単な説明】
【００１９】
【図１】従来のネイル用集塵機を示す図である。
【図２】本考案に係る照明を備えたネイルケア用集塵装置の好ましい実施形態を示す図である。
【図３】本考案に係る照明を備えたネイルケア用集塵装置の分解斜視図である。
【図４】本考案に係る照明を備えたネイルケア用集塵装置の吸入ファンの上部に配置する後向き羽根の斜視図である。
【考案を実施するための形態】
【００２０】
本考案に関する説明は構造的乃至機能的な説明のための実施形態に過ぎないため、本考案の権利範囲は本文に説明された実施形態によって制限されるものと解釈してはならない。すなわち、実施形態は様々な変更が可能で種々の形態を有することができるため、本考案の権利範囲は技術的思想を実現できる均等物を含むものとして理解しなければならない。また、本考案で提示された目的または効果は、特定の実施形態がそれを全て含まなければならないとか、そのような効果のみを含まなければならないという意味ではないため、本考案の権利範囲がそれによって制限されるものとして理解してはならない。
【００２１】
一方、本出願で記述される用語の意味は以下のとおりに理解しなければならない。「第１」、「第２」等の用語は一つの構成要素を他の構成要素から区別するためのものであり、これらの用語によって権利範囲が限定されてはならない。例えば、第１構成要素は第２構成要素と命名してもよく、それと同様に第２構成要素は第１構成要素と命名してもよい。
【００２２】
ある構成要素が他の構成要素に「連結されて」いると言及された時には、他の構成要素に直接的に連結されてもよいが、その間にまた他の構成要素が存在してもよいことを理解しなければならない。それに対し、ある構成要素が他の構成要素に「直接連結されて」いると言及された時には、その間にまた他の構成要素が存在しないこととして理解しなければならない。一方、構成要素間の関係を説明する他の表現、すなわち、「〜の間に」と「直ちに〜の間に」または「〜に隣接する」と「〜に直接隣接する」等も同様に解釈しなければならない。
【００２３】
単数の表現は、文脈上、明らかに別に意味しない限り、複数の表現を含むものとして理解しなければならず、「含む」または「有する」等の用語は、実施された特徴、数字、ステップ、動作、構成要素、部分品またはこれらを組み合わせたものが存在することを指定しようとするものであって、一つまたはそれ以上の他の特徴や数字、ステップ、動作、構成要素、部分品またはこれらを組み合わせたものの存在または付加可能性を予め排除するものではないことを理解しなければならない。
【００２４】
各ステップにおける識別符号（例えば、ａ、ｂ、ｃ等）は説明の便宜のために用いられるものであり、識別符号は各ステップの順序を説明するものではなく、各ステップは、文脈上、明らかに特定順序を記載しない以上、明記された順序とは異なるように行われてもよい。すなわち、各ステップは明記された順序と同様に行われてもよく、実質的に同時に行われてもよく、逆順に行われてもよい。
【００２５】
本考案はコンピュータ可読の記録媒体にコンピュータ可読のコードとして実現されてもよく、コンピュータ可読の記録媒体はコンピュータシステムによって読まれるデータが格納される全ての種類の記録装置を含む。コンピュータ可読の記録媒体の例としてはＲＯＭ、ＲＡＭ、ＣＤ−ＲＯＭ、磁気テープ、フロッピーディスク、光データ格納装置等があり、また、搬送波（例えば、インターネットを介した転送）の形態で実現されるものも含む。また、コンピュータ可読の記録媒体はネットワークで連結されたコンピュータシステムに分散され、分散方式でコンピュータ可読のコードが格納し実行されてもよい。
【００２６】
ここで用いられる全ての用語は、別に定義しない限り、本考案が属する分野で通常の知識を有した者によって一般的に理解されるものと同じ意味を有する。一般的に用いられる辞典に定義された用語は関連技術の文脈上有する意味と一致するものとして解釈しなければならず、本出願で明らかに定義しない限り、理想的または過度に形式的な意味を有するものとして解釈してはならない。
【００２７】
以下、本考案の好ましい実施形態による照明を備えたネイルケア用集塵装置について図２及び図３を参照して詳細に説明する。
【００２８】
図２には、本考案に係る照明を備えたネイルケア用集塵装置の概略的な使用状態が示されている。図示されたように、本考案の照明を備えたネイルケア用集塵装置は、ネイルから発生する粉塵を吸入するための吸入管ユニット１００、及び、前記吸入管ユニット１００に連結され、粉塵を吸入するための動力提供及び吸入された粉塵をフィルタして浄化された空気を排出する本体ユニット２００を含む。
【００２９】
前記吸入管ユニット１００は、略中空形の管であり、ネイルケアによって発生する粉塵が移送される通路の役割をする構成である。よって、吸入管ユニット１００の両端は、ネイルケアによって発生する粉塵が吸入管ユニット１００の一端から流入されて他端に排出されるように開放されている。
【００３０】
吸入管ユニット１００は、粉塵が発生する作業空間への移動を容易にするためにその長さ方向に一部または全体が折り畳み可能にシワが形成される。シワが形成された吸入管ユニット１００は距離と方向及び角度の調節が自由に行われる。
【００３１】
前記吸入管ユニット１００の一端部にはネイルケアを実行中の作業空間を照射するための照明部１１０が備えられる。前記照明部１１０は、交替可能に着脱式で構成されたものであり、前記吸入管ユニット１００の内周面または外周面のうち少なくとも一面に載置される。
【００３２】
照明部１１０は、照射（使用）目的に応じて単純に作業空間を明るくするためのＬＥＤ照明（発光照明）を含めて、ネイルに塗布される物質を乾燥するためのＵＶ照明、保温のための発熱照明など、様々な照明が設けられることができる。
【００３３】
一方、前記照明部１１０の設置状態は、複数の目的を同時に達成することができるように、前記吸入管ユニット１００の内周面と外周面に互いに異なる種類の照明が設けられるか、または、設置作業なしで目的に応じて即刻に選択的制御が可能となるように互いに異なる種類の照明が吸入管ユニット１００に一体型で構成されるなど、多様に変形して実施できることは明らかである。例えば、前記吸入管ユニット１００の内周面に発光照明を設け、外周面に発熱照明を設ければ、作業空間を明るくすると同時に暖かい環境を提供することができるようになる。
【００３４】
前記吸入管ユニット１００の他端は本体ユニット２００と連結され、前記本体ユニット２００には前記吸入管ユニット１００の他端から排出される粉塵が収集される。
【００３５】
図３を参照して本体ユニット２００の各構成について詳細に説明する。図３には、本考案に係る照明を備えたネイルケア用集塵装置の分解された状態が示されている。
【００３６】
図３に示すように、前記本体ユニット２００は、ネイルから発生する粉塵を含む有害な空気を浄化するための構成であり、前記吸入管ユニット１００の他端に連結され、有害な空気中の粉塵を捕集して浄化された空気が排出されるようにする。
【００３７】
具体的には、前記本体ユニット２００は、前記照明部１１０の点灯と有害空気の吸入を各々制御する制御部２１０、有害空気が収容されるための空間を有する有害空気収容部２２０、有害空気に含まれた粉塵をフィルタするためのフィルタ部２３０、有害空気を前記有害空気収容部２２０からフィルタ部２３０方向に移動させるための吸入力を提供する吸入管ユニット２４０、及び浄化空気を排出する排出部２５０を含む。
【００３８】
先ず、前記制御部２１０は、照明部１１０のオン／オフ、照射光の種類及び照射時間を制御するための照明制御部２１１と、前記吸入管ユニット１００のオン／オフ、吸入強度及び吸入時間を制御するための吸入制御部２１２とを含む。
【００３９】
前記照明制御部２１１と前記吸入制御部２１２を介して、前記照明部１１０と前記吸入管ユニット２４０は各々可変的に手動制御されるか、または予定されたモードで自動制御されることができる。例えば、図３に示すように、前記照明制御部２１１と前記吸入制御部２１２をボタン式で構成する場合、前記照明制御部２１１と前記吸入制御部２１２を各々手動で押し操作して前記照明部１１０と前記吸入管ユニット２４０の状態を個別的に制御するか、または前記照明制御部２１１と前記吸入制御部２１２を同時に押す等の一連の動作によって前記照明部１１０と前記吸入管ユニット２４０が予定された条件で自動作動するように構成することができる。
【００４０】
また、図３には各々一つのボタン部が示されているが、上記のような動作を実現するために、前記照明制御部２１１と前記吸入制御部２１２は複数のボタンで構成されることができ、操作された設定値を表示するためのディスプレイ部（図示せず）を備えて作動状態をモニターすることができるように構成されるなど、前記照明部１１０と前記吸入管ユニット２４０の制御のための物理的な形態は多様に変形実施可能であることは勿論である。
【００４１】
次に、前記有害空気収容部２２０は、一面が開放された略ハウジング形態のカバー体であり、前記吸入管ユニット１１０の他端に連結され、有害空気が収集されるように一定体積の空間を有する。前記有害空気収容部２２０の開放された一面は後述する前記吸入管ユニット２４０によって塞がれる。
【００４２】
前記吸入管ユニット２４０は、スクリュー方式の吸入ファン２４１と、前記吸入制御部２１２から作動信号の入力を受けて吸入ファン２４１を駆動する駆動モータ（図示せず）とを含む。
【００４３】
駆動モータは前記吸入ファン２４１を作動させるための動力源として従来のものを採用することができるので、詳細な説明は省略する。
【００４４】
前記吸入ファン２４１は、有害空気が前記吸入管ユニット１００に吸い込まれるように空気の流れを有害空気収容部２２０の反対方向に誘導する構成である。すなわち、前記有害空気収容部２２０が前記吸入管ユニット２４０の上部に位置する場合、有害空気は下部方向に移動できるようにする。前記吸入ファン２４１は、前記吸入管ユニット２４０の中央に形成される円筒形の空間内に設けられ、回転軸に設けられる回転羽根の作動によって回転軸と平行した下部方向に有害空気を送り出す役割をする。
【００４５】
図３には前記吸入ファン２４１を軸流ファン構造の軸流送風機として図示しているが、構造が簡単で強度が大きく、摩耗や腐食にも強いラジアルファン形態のプレートファンを採用することもできる。プレートファンを採用する場合、粉塵が多いガスの通風や粉体の輸送率を向上させることができる。
【００４６】
また、前記吸入ファン２４１は、図４に示すように、その上部に後向き羽根２４２を配置して高速回転可能にすることにより、さらに強い吸入力を提供することができるようにする。その他にも翼型ファン、シロッコファン等の構造を採用して有害空気の効率的な吸入及び排出が可能となるようにする。
【００４７】
前記フィルタ部２３０は、前記吸入管ユニット２４０によって前記有害空気収容部２２０に一方向吸入される有害空気内に含まれた粉塵をフィルタするための構成である。前記フィルタ部２３０は、前記有害空気収容部２２０と前記吸入管ユニット２４０との間に設けられ、有害空気が吸入管ユニット２４０を通過しつつ粉塵が除去されるようにする。
【００４８】
前記排出部２５０は一面に有害空気収容部２２０が載置された吸入管ユニット２４０の他面に設けられるカバー体であり、前記排出部２５０は上記のようなフィルタ作業を経た有害空気が浄化された状態の浄化空気として排出されるように構成される。
【００４９】
前記排出部２５０は、複数の排出口２５１を含み、一定体積の空間を有するように構成されて浄化空気が排出されることは勿論、前記吸入管ユニット２４０が作動して発生する熱気を排出し、前記吸入管ユニット２４０が外部に露出されないように保護する役割をする。
【００５０】
上記では本考案の好ましい実施形態を参照して説明したが、該技術分野の熟練した当業者であれば、下記の請求範囲に記載された本考案の思想及び領域から逸脱しない範囲内で本考案を多様に修正及び変更できることを理解することができるであろう。
【符号の説明】
【００５１】
１００  ・・・吸入管ユニット
１１０  ・・・照明部
２００  ・・・本体ユニット
２１０  ・・・制御部
２１１  ・・・照明制御部
２１２  ・・・吸入制御部
２２０  ・・・有害空気収容部
２３０  ・・・フィルタ部
２４０  ・・・吸入管ユニット
２４１  ・・・吸入ファン
２４２  ・・・駆動モータ
２５０  ・・・排出部
２５１  ・・・排出口
【図１】
0003213017.tif 000003
【図２】
0003213017.tif 000004
【図３】
0003213017.tif 000005
【図４】
0003213017.tif 000006